(57)【要約】【課題】  簡素な構成で、用紙からの大きな反力が作用した場合でも、その大きな反力を良好に受け止めることができるだけでなく、そのための操作を迅速に行える印刷機の胴昇降装置を提供する。【解決手段】  胴１Ｂにより搬送される印刷用紙の表面処理を行う表面処理部１Ａを備え、該表面処理部１Ａを、前記胴１Ｂに接近させて表面処理を行う接近位置と、該胴１Ｂから離間させた退避位置とに切り替え自在に構成している印刷機の胴昇降装置であって、前記接近位置における表面処理部１Ａが前記胴１Ｂから離間する側へ移動することを阻止するロック位置と該表面処理部１Ａが接近位置から退避位置へ移動することを許容するロック解除位置とに位置変更自在なストッパー２０を備えた。【選択図】  図２
2010120285.tif 000002
【特許請求の範囲】
【請求項１】
胴により搬送される印刷用紙の表面処理を行う表面処理部を備え、該表面処理部を、前記胴に接近させて表面処理を行う接近位置と、該胴から離間させた退避位置とに切り替え自在に構成している印刷機の胴昇降装置であって、
前記接近位置における表面処理部が退避位置側へ移動することを阻止するロック位置と、該表面処理部が接近位置から退避位置へ移動することを許容するロック解除位置とに位置変更自在なストッパーを備え、前記ストッパーは、前記胴の回転中心と前記表面処理部の中心とを結ぶ延長線上又は該延長線上近傍に配置されていることを特徴とする印刷機の胴昇降装置。
【請求項２】
前記表面処理部を退避位置から接近位置への切り替え完了時に、該表面処理部がさらに同じ方向へ移動することを接当阻止するための位置調整部材を備えている請求項１記載の印刷機の胴昇降装置。
【請求項３】
前記ストッパーをロック位置とロック解除位置とに切り替え操作する流体圧シリンダを備え、該流体圧シリンダと該ストッパーとをリンク機構を介して連結し、かつ、該リンク機構が一対のトグルリンクを備えたトグル機構であることを特徴とする請求項１又は２記載の印刷機の胴昇降装置。
【請求項４】
前記ストッパーの一端側が回転軸を介して揺動自在に取り付けられ、該ストッパーの他端側に前記リンク機構の一端を連結し、かつ、前記回転軸が偏芯軸であることを特徴とする請求項３記載の印刷機の胴昇降装置。
【発明の詳細な説明】
【技術分野】
【０００１】
本発明は、胴により搬送される印刷用紙の表面処理を行う表面処理部を備え、該表面処理部を、前記胴に接近させて表面処理を行う接近位置と、該胴から離間させた退避位置とに切り替え自在に構成した印刷機の胴昇降装置に関する。
【背景技術】
【０００２】
上記構成の印刷機の胴昇降装置として、例えば移動中のウェブ材料（用紙）に被覆材を被覆することができる被覆材付着用布地ローラを昇降させることができる装置が既に提案されている。
【０００３】
前記のように被覆材付着用布地ローラを昇降させることによって、ブランケット胴に対して大きく離間した退避位置まで移動させることで、メンテナンス等が行い易い利点がある。前記退避位置に位置させるための具体的構成としては、被覆材付着用布地ローラが取り付けられたベースフレームを昇降操作する液圧シリンダを備えるとともに、該ベースフレームを水平方向に移動させるためのスライドシャフトを備えている。
【０００４】
従って、ベースフレームの昇降と水平方向への移動を複数回交互に繰り返して行うことによって、被覆材付着用布地ローラをブランケット胴に接近させて用紙に被覆材を被覆する接近位置とブランケット胴から大きく離間させた退避位置とに切り替えることができるように構成している（例えば、特許文献１参照）。
【特許文献１】特開昭６４−４５６３８号公報（図１、図２参照）
【発明の開示】
【発明が解決しようとする課題】
【０００５】
前記特許文献１の構成では、ベースフレームを昇降させる液圧シリンダと水平方向へ移動させるスライドシャフトとを必要とし、装置全体が複雑になる不都合があった。
【０００６】
また、前記特許文献１では、被覆材付着用布地ローラの接近位置において、被覆材付着用布地ローラとブランケット胴との隙間にその隙間よりも大きな厚みの用紙が供給された場合に、被覆材付着用布地ローラが用紙からの反力を受けてブランケット胴から大きく離間することを阻止する阻止手段を設けている。この阻止手段は、ベースフレームを受け止める支持バーの表面に備えさせたスタッドボルトと、このスタッドボルトに螺合するナットとから構成されている。具体的には、被覆材付着用布地ローラを接近位置に位置させたときに、支持バーのスタッドボルトがベースフレームの貫通孔を貫通する。そして、ベースフレームから突出したスタッドボルトの上端にナットを螺合させることにより、ベースフレームを支持バーに固定することができるようになっている。
【０００７】
しかしながら、前記のようにベースフレームを支持バーに一旦固定してしまうと、被覆材付着用布地ローラを接近位置から退避位置に切り替えることができない。このため、被覆材付着用布地ローラを接近位置から退避位置に切り替える場合には、螺合したナットを緩めてスタッドボルトを取り外さなければならず、操作性が非常に悪いものであった。
【０００８】
本発明が前述の状況に鑑み、解決しようとするところは、簡素な構成で、用紙からの大きな反力が作用した場合でも、その大きな反力を良好に受け止めることができるようにしながらも、そのための操作を迅速に行える印刷機の胴昇降装置を提供することを課題とする。
【課題を解決するための手段】
【０００９】
本発明の印刷機の胴昇降装置は、胴により搬送される印刷用紙の表面処理を行う表面処理部を備え、該表面処理部を、前記胴に接近させて表面処理を行う接近位置と、該胴から離間させた退避位置とに切り替え自在に構成している印刷機の胴昇降装置であって、前記接近位置における表面処理部が退避位置側へ移動することを阻止するロック位置と、該表面処理部が接近位置から退避位置へ移動することを許容するロック解除位置とに位置変更自在なストッパーを備え、前記ストッパーは、前記胴の回転中心と前記表面処理部の中心とを結ぶ延長線上又は該延長線上近傍に配置されていることを特徴としている。
【００１０】
接近位置における表面処理部が退避位置側へ移動することをストッパーにより確実に阻止することができながらも、表面処理部が接近位置から退避位置へ移動する場合には、ロック位置からロック解除位置へストッパーを位置変更させるだけで、表面処理部が接近位置から退避位置へ移動することができる。
しかも前記ストッパーが、前記胴の回転中心と前記表面処理部の中心とを結ぶ延長線上又は該延長線上近傍に配置されているから、例えば表面処理部と胴との隙間にその隙間よりも大きな厚さの用紙が供給されて、用紙からの大きな反力が表面処理部に作用しても、この大きな反力が作用する位置又はその近傍位置に配置されたストッパーで効率よく確実に受け止めることができる。
【００１１】
また、本発明の印刷機の胴昇降装置は、前記表面処理部を退避位置から接近位置への切り替え完了時に、該表面処理部がさらに同じ方向へ移動することを接当阻止するための位置調整部材を備えるようにすれば、表面処理部を所望の接近位置へ確実に位置させることができるだけでなく、表面処理部と胴との隙間に用紙が供給されて、用紙からの反力により表面処理部が胴から離間する側に移動した後、胴に接近する側に再度戻されたときに位置調整部材が確実に受け止めることができるから、表面処理部が胴に対して接近離間を繰り返すハンチング等を起こすことを抑制することができる利点がある。
【００１２】
また、本発明の印刷機の胴昇降装置は、前記ストッパーをロック位置とロック解除位置とに切り替え操作する流体圧シリンダを備え、該流体圧シリンダと該ストッパーとをリンク機構を介して連結し、かつ、該リンク機構が一対のトグルリンクを備えたトグル機構で構成されるようにすれば、トグル機構による突っ張り作用を発揮させて、ストッパーによるストッパー作用を強力にすることができる。
【００１３】
また、本発明の印刷機の胴昇降装置は、前記ストッパーの一端側が回転軸を介して揺動自在に取り付けられ、該ストッパーの他端側に前記リンク機構の一端を連結し、前記回転軸が偏芯軸で構成されるようにすれば、回転軸の回転位置を変更するだけで、ストッパーの揺動位置を調整することができるだけでなく、製作誤差等も吸収することができる。
【発明の効果】
【００１４】
接近位置における表面処理部が退避位置側へ移動することをストッパーにより確実に阻止することができながらも、表面処理部が接近位置から退避位置へ移動する場合には、ロック位置からロック解除位置へストッパーを位置変更させるだけで済むから、簡素な構成で、用紙からの大きな反力が作用した場合でも、その大きな反力をストッパーで良好に受け止めることができるようにしながらも、そのためのストッパーに対する操作を迅速に行える印刷機の胴昇降装置を提供することができる。
しかも前記ストッパーが、胴の回転中心と表面処理部の中心とを結ぶ延長線上又は該延長線上近傍に配置されているから、例え用紙からの大きな反力が表面処理部に作用しても、この大きな反力が作用する位置又はその近傍位置に配置されたストッパーで効率よく確実に受け止めることができ、信頼性の高い印刷機の胴昇降装置にすることができる。
【発明を実施するための最良の形態】
【００１５】
図１に、印刷された印刷用紙の印刷面に光沢を出すための樹脂ワニス（ニスとも言う）を塗布（コーティング）して表面処理を行うための表面処理部としてのワニス塗布部１が組み込まれた印刷機の一例を示している。この印刷機は、紙積み台２と、紙積み台２からフィーダ装置３により一枚ずつ印刷用紙を送り出すための給紙部４と、この給紙部４から送り出された印刷用紙Ｐに５色の印刷を行うための印刷部５と、該印刷部５により印刷された印刷用紙に紫外線硬化型樹脂ワニスを塗布する前記ワニス塗布部１と、該ワニス塗布部１により紫外線硬化型樹脂ワニスが塗布された印刷用紙を搬送して排紙するための排紙部６と、排紙部６内に設けられ、排紙部６により搬送されてくる印刷用紙の紫外線硬化型樹脂ワニスを硬化させるための紫外線乾燥装置７とを備えている。ここでは、５色の印刷が行えるように５台の印刷ユニット５Ａ〜５Ｅを備えた印刷部５を示しているが、５色以外の色、つまり１色又は２色以上の印刷が行える印刷部であってもよい。又、前記排紙部６は、グリッパを備えるチェーン搬送装置にて構成しているが、この排紙部６のない印刷機であってもよいし、又、印刷機を構成する各部の具体的な構成は図に示されるものに限定されるものではない。又、印刷用紙として枚葉紙を用いているが、連続する長尺な用紙であってもよい。更に、前記ワニス塗布部１が、紫外線硬化型樹脂ワニスを塗布する他、水性ワ二ス（水性ニス）を塗布する場合であってもよい。この場合には、前記紫外線乾燥装置７の印刷用紙搬送方向前後に備えている赤外線乾燥装置８Ａ，８Ｂにより塗布された水性ニスを乾燥させることになる。
【００１６】
前記印刷ユニット５Ａ〜５Ｅは、印刷用圧胴５ａ〜５ｅを備え、これら印刷用圧胴５ａ〜５ｅの搬送方向上流側のそれぞれには、各印刷用圧胴へ印刷用紙を渡すための渡し胴９ａ〜９ｅを備えている。尚、前記渡し胴９ａ〜９ｅのうちの搬送方向始端側に位置する径の小さな渡し胴９ａを給紙胴とも言い、この渡し胴９ａと前記フィーダ装置３とから前記給紙部４を構成している。そして、図示していないが、前記胴５ａ〜５ｅ及び渡し胴９ａ〜９ｅのそれぞれには、送り出されてきた印刷用紙を爪台と爪とで把持するグリッパを円周方向の複数箇所（１箇所でもよい）に備えている。尚、前記径の小さな渡し胴９ａにも、図示していないが、印刷用紙を爪台と爪とで把持するグリッパを円周方向の１箇所に備えている。
【００１７】
前記ワニス塗布部１は、紫外線硬化型樹脂ワニスが供給されるニス胴１Ａと、ニス胴１Ａに紫外線硬化型樹脂ワニスを供給するためのニス供給ローラ１０とからなり、該ニス胴１Ａの下方には、印刷された印刷用紙を搬送する胴を構成するとともに紫外線硬化型樹脂ワニスを押し付けて塗布するためのニス圧胴１Ｂを備えている。そして、対向配置したニス圧胴１Ｂ及びニス胴１Ａのうちの一方の胴（ニス胴１Ａ）を、他方の胴（ニス圧胴１Ｂ）に接近させて表面処理を行う接近位置と、該他方の胴から離間させた退避位置とに切り替えるための昇降手段を左右両側にそれぞれ備えており、次にその昇降手段について詳述する。尚、前記ニス圧胴１Ｂの搬送方向上流側にも、印刷用紙をニス圧胴１Ｂに渡すための渡し胴１Ｇを備えており、この渡し胴１Ｇは、送り出されてきた印刷用紙を爪台と爪とで把持するグリッパを円周方向の複数箇所（１箇所でもよい）に備えている。
【００１８】
図２に示すように、前記昇降手段は、ニス胴１Ａを前記接近位置と離間位置とに移動させるための駆動源となる電動モータ１１と、電動モータ１１によって回転される回転部材１２と、該回転部材１２に噛み合って該回転部材１２の回転運動を直線運動に変換し、かつ、前記ニス胴１Ａを回転支持する昇降フレーム１３に連結した噛合部材１４とを備えている。尚、昇降フレーム１３には、前記ニス胴１Ａの他、前記ニス供給ローラ１０も回転自在に支持されており、ニス胴１Ａと共にニス供給ローラ１０も同時に昇降できる。
【００１９】
前記回転部材１２が、ボールねじであり、前記噛合部材１４が、ボールねじ１２に螺合されたボールナットである。ボールねじ１２は、それの長手方向が鉛直方向に対して少し搬送方向前方側に傾けた前方傾斜姿勢となる縦向きに配置され、固定側の支持フレーム１５に回転自在に支持されている。また、ボールナット１４は、前記昇降フレーム１３に取付部材１６を介して回転不能に連結されている。従って、電動モータ１１を駆動することによって、ボールねじ１２が回転し、この回転によってボールナット１４がボールねじ１２の長手方向に移動して、昇降フレーム１３を昇降させる。
【００２０】
そして、前記ボールナット１４を、前記ニス圧胴１Ｂの回転中心Ｘ２とニス胴１Ａの回転中心Ｘ１とを結ぶ延長線上近傍に配置してある。
【００２１】
前記電動モータ１１は、水平方向に配置され、前記ボールねじ１２は、電動モータ１１と直交する縦向きに配置されている。このように電動モータ１１を水平方向に配置することによって、装置全体が縦方向に大型化することを抑制することができる。そして、前記電動モータ１１とボールねじ１２とをウォームギヤ機構１７を介して連結することによって、ウォームギヤ機構１７が持つセルフロック機能を発揮させて、電動モータ１１の逆転を確実に防止することができる。
【００２２】
前記ウォームギヤ機構１７は、前記電動モータ１１の出力軸に一体回転するように外嵌されたウォーム１７Ａと、このウォーム１７Ａに噛み合うとともに前記ボールねじ１２の上端に一体回転するように外嵌されたウォームホイール１７Ｂとから構成されている。
【００２３】
前記のように構成された昇降装置を作動させることによって、図２及び図４に示すように、ニス圧胴１Ｂに対してニス胴１Ａを接近させて印刷用紙表面にニスを塗布する接近位置と、図５に示すように、ニス圧胴１Ｂに対してニス胴１Ａを上方に設定距離離間させてニスを塗布しない状態又は機器のメンテナンスなどを行う退避位置とに切り替えることができる。
【００２４】
前記昇降フレーム１３の左右幅方向両側に、昇降フレーム１３を接近離間自在に移動案内するための案内手段１８，１９を備えて、昇降フレーム１３の昇降がスムーズに行えるようにしている。
【００２５】
図２、図４及び図５において右側に位置する前記一方の案内手段１８が、昇降フレーム１３を移動案内するためのガイドレールであり、図２、図４及び図５において左側に位置する前記他方の案内手段１９が、昇降フレーム１３に当接状態で配置された上下一対の案内用コロ１９Ａ，１９Ｂである。
【００２６】
前記ガイドレール１８は、前記支持フレーム１５に取り付けられた固定側のガイドレール部１８Ａと、このガイドレール部１８Ａに係合して上下に移動するべく、前記昇降フレーム１３に取り付けられた可動側のガイドレール部１８Ｂとからなっている。
【００２７】
前記コロ１９Ａ，１９Ｂは、前記支持フレーム１５に形成された凹部（図示せず）内に回転自在に配設され、コロ１９Ａ，１９Ｂの外周面が昇降フレーム１３の左側の一側面に接触した状態を維持するようにしている。従って、昇降フレーム１３の昇降時に、コロ１９Ａ，１９Ｂが回転しながら昇降フレーム１３を移動案内するようになっている。
【００２８】
前記接近位置のニス胴１Ａが退避位置側へ移動することを阻止するロック位置と該ニス胴１Ｂが接近位置から退避位置へ移動することを許容するロック解除位置とに位置変更自在なストッパー２０を備えている。
【００２９】
前記ストッパー２０は、ニス圧胴１Ｂの回転中心Ｘ２とニス胴１Ａの中心Ｘ１とを結ぶ延長線上近傍に配置してあり、例えばニス胴１Ａとニス圧胴１Ｂとの隙間にその隙間よりも大きな厚さの印刷用紙が供給されて、印刷用紙からの大きな反力がニス胴１Ａに作用しても、この大きな反力が作用する近傍位置に配置されたストッパー２０で効率よく確実に受け止めることができる。
【００３０】
前記ニス胴１Ａを退避位置から接近位置への切り替え完了時に、該ニス胴１Ａが前記ニス圧胴１Ｂへ接近する側へ移動する（ニス圧胴１Ｂの径方向内側へ移動する）ことを接当阻止するための位置調整部材３０を支持フレーム１５に備えて、ニス胴１Ａを所望の接近位置へ確実に位置させることができるだけでなく、ニス胴１Ａとニス圧胴１Ｂとの隙間に用紙が供給されて、用紙からの反力によりニス胴１Ａがニス圧胴１Ｂから離間する側に移動した後、ニス圧胴１Ｂに接近する側に再度戻されたときに位置調整部材３０が確実に受け止めることができるから、ニス胴１Ａがニス圧胴１Ｂに対して接近離間を繰り返すハンチングなどを起こすことを抑制することができる。
【００３１】
前記位置調整部材３０は、図６（ａ），（ｂ），（ｃ）に示すように、前記支持フレーム１５に形成した凹部１５Ａに配設され、昇降フレーム１３の下端面１３Ａが接当することにより、ニス胴１Ａがニス圧胴１Ｂへ接近する側へ移動することを接当阻止している。そして、位置調整部材３０は、凹部１５Ａを構成する縦壁１５ａに一対のボルトＢ，Ｂにより固定された立方体形状の接当部材３０Ａと、接当部材３０Ａ内に下端が凹部１５Ａを構成する底壁１５ｂに接当するように縦向きに設けられ、かつ、上方から六角レンチなどの工具を用いて回転操作することにより凹部１５Ａに対する接当部材３０Ａの縦方向の位置（上下位置）が調整自在なビス３０Ｂ，３０Ｂと、これらビス３０Ｂ，３０Ｂを所定高さ位置にて固定するためにビス３０Ｂ，３０Ｂに対して直交する方向から接当するビス３０Ｃ，３０Ｃとを備えている。前記接当部材３０Ａには、ボルトＢ，Ｂに対して接当部材３０Ａが縦方向での移動を許容するための縦向きの長孔３０Ｋ，３０Ｋが形成されている。
【００３２】
従って、ボルトＢ，Ｂ及びビス３０Ｃ，３０Ｃを緩めた後、六角レンチなどの工具を用いて上方からビス３０Ｂ，３０Ｂの六角孔に係止してから、ビス３０Ｂ，３０Ｂを回転操作することによって、接当部材３０Ａに対するビス３０Ｂ，３０Ｂの縦方向の位置を調整する。この調整後、六角レンチなどの工具を用いて前方からビス３０Ｃ，３０Ｃを回転操作することにより、ビス３０Ｂ，３０Ｂに接当させることでビス３０Ｂ，３０Ｂを固定する。続いて、ボルトＢ，Ｂにより接当部材３０Ａを縦壁１５ａに固定して、位置調整部材３０の位置調整が完了する。
【００３３】
図２、図４及び図５において、前記ストッパー２０は、流体圧シリンダであるエアシリンダ２３によりロック位置とロック解除位置とに切り替え自在に構成されている。そして、エアシリンダ２３とストッパー２０とをリンク機構を介して連結している。前記リンク機構は、一対のトグルリンク２１，２２を備えたトグル機構で構成されており、ニス胴１Ａが接近位置に位置している状態において、トグル機構による突っ張り作用を発揮させて、ストッパーによるストッパー作用を強力にすることができる。つまり、図２の拡大図に示すように、２つのリンク２１，２２それぞれが、それらを連結している枢支軸ｇからそれぞれ離れる側の他端側部分にいくほど後方に位置する傾斜姿勢となり、２つのリンク２１，２２がほぼＶ字状になるように構成されている。尚、図２の拡大図では、分かり易くするために２つのリンク２１，２２の角度を誇張して描写している。
【００３４】
前記ストッパー２０の一端側が支持フレーム１５に固定された回転軸３２を介して揺動自在に取り付けられている。そして、ストッパー２０の他端側に前記リンク機構の一端を連結し、回転軸３２を偏芯軸から構成することによって、回転軸３２の回転位置を変更するだけで、ストッパー２０の揺動位置を調整することができるだけでなく、製作誤差等も吸収することができる。
【００３５】
前記リンク機構は、一端がストッパー２０に連結された第１リンク２１と、この第１リンク２１に一端が連結され、かつ、他端がエアシリンダ２３の操作ロッド２３Ａの先端に連結された第２リンク２２とから構成されている。従って、エアシリンダ２３を伸長作動させることにより、ストッパー２０を下方へ揺動することで、図２及び図４に示すようにストッパー２０を昇降フレーム１３の上端の折曲片１３Ａに接当するロック位置に位置させて、ニス胴１Ａがニス圧胴１Ｂから離間する上方へ移動することを阻止することができる。尚、昇降フレーム１３を上昇させた退避姿勢にする場合には、昇降フレーム１３の上昇を開始する前に、エアシリンダ２３を短縮作動させることにより、ストッパー２０を上方へ揺動することで、図５に示すように、昇降フレーム１３の上昇に支障のないロック解除位置まで退避させることができる。
【００３６】
前記昇降フレーム１３が予め設定された上昇位置と下降位置とに位置すると、電動モータ１１の駆動を停止するように構成されている。具体的には、昇降フレーム１３に検知片２４を備え、昇降フレーム１３の昇降に伴い、検知片２４の通過を検出する上限検知センサ２５及び下限検知センサ２６を支持フレーム１５に備えるとともに、これら上限検知センサ２５及び下限検知センサ２６からの検出情報に基づいて電動モータ１１の駆動を制御するための制御部（図示せず）を備えている。
【００３７】
図３に示す符号２８で示す要素は、ニス供給ローラ１０にニスを供給するためのニス供給装置であり、また、符号２９で示す要素は、ニス供給装置２８からニス供給ローラ１０に供給したニスの余剰分を下方で受け止めるためのニス受け皿である。
【００３８】
尚、本発明は、前記実施形態に限定されるものではなく、本発明の要旨を逸脱しない範囲で種々の変更が可能である。
【００３９】
例えば、前記実施形態では、ストッパー２０により、接近位置に位置しているニス胴１Ａがニス圧胴１Ｂから離間する側へ移動することを阻止する構成に加えて、昇降手段を構成するボールねじ１２とこれに噛み合っているボールナット１４とで、ニス胴１Ａがニス圧胴１Ｂから離間する側へ移動することを阻止することによって、阻止力を強力にすることができるが、昇降手段をチェーンやワイヤーなどにより構成したものであってもよい。
【００４０】
また、前記実施形態では、ストッパー２０を揺動式のものから構成したが、スライド式で構成する他、流体圧シリンダ又は電動モータ等の伸縮式のアクチュエータの先端にストッパー２０を取り付け、伸縮式のアクチュエータによりストッパー２０を直接移動自在に構成してもよい。
【００４１】
また、前記実施形態では、ストッパー２０を前記ニス圧胴１Ｂの回転中心Ｘ２とニス胴１Ａの回転中心Ｘ１とを結ぶ延長線上近傍に配置したが、延長線上にストッパー２０を配置して実施すれば、印刷用紙からの反力をより一層確実に受け止めることができる。
【００４２】
また、前記実施形態では、ボールナット１４とニス胴１Ａとを昇降フレーム１３を介して連結したが、ニス胴１Ａの端部に直接連結してもよい。この場合、ニス胴１Ａのみ昇降させることになる。
【００４３】
また、前記実施形態では、図３に示すように、昇降装置をニス胴１Ａの両側にそれぞれ備えさせたが、ニス胴１Ａの一方側に昇降ガイドを備え、ニス胴１Ａの他方側に駆動部を備えた昇降装置を連結したものであってもよいし、ニス胴１Ａの両端部をそれぞれ支持する支持部材をニス胴１Ａの左右方向中央部まで延出してアーチ型の支持部材を構成し、このアーチ型の支持部材の左右中央部を持ち上げる単一の昇降装置を設けて実施してもよい。
【００４４】
本発明は、ニスを塗布するものに適用できる他、印刷用紙の表面に転写用フィルムを押し付けることにより、金箔、エンボス模様やホログラム模様等を転写して印刷面の付加価値を高めるための表面処理部を設けたものにも適用することができる。
【図面の簡単な説明】
【００４５】
【図１】印刷機の一例の概略構成を示す側面図である。
【図２】ワニス塗布部の拡大側面図である。
【図３】ワニス塗布部の縦断正面図である。
【図４】図２で示したワニス塗布部を更に拡大して一部を省略した側面図である。
【図５】図４で示したワニス塗布部の昇降フレームを上昇させた状態を示す側面図である。
【図６】位置調整部材の具体的構成を示し、（ａ）はそれの側面図、（ｂ）はそれの平面図、（ｃ）はそれの正面図である。
【符号の説明】
【００４６】
１…ワニス塗布部、１Ａ…ニス胴、１Ｂ…ニス圧胴、２…紙積台、３…フィーダ装置、４…給紙部、５…印刷部、５Ａ〜５Ｅ…印刷ユニット、５ａ〜５ｅ…印刷用圧胴、６…排紙部、７…紫外線乾燥装置、８Ａ，８Ｂ…赤外線乾燥装置、９ａ〜９ｅ…渡し胴、１０…ニス供給ローラ、１１…電動モータ、１２…回転部材、１３…昇降フレーム、１３Ａ…折曲片、１４…噛合部材（ボールナット）、１５…支持フレーム、１５Ａ…凹部、１５ａ…縦壁、１５ｂ…底壁、１６…取付部材、１７…ウォームギヤ機構、１７Ａ…ウォーム、１７Ｂ…ウォームホイール、１８…案内手段（ガイドレール）、１８Ａ，１８Ｂ…ガイドレール部、１９…案内手段、１９Ａ，１９Ｂ…案内用コロ、２０…ストッパー、２１，２２…リンク、２３…エアシリンダ、２３Ａ…操作ロッド、２４…検知片、２５…上限検知センサ、２６…下限検知センサ、２８…ニス供給装置、２９…ニス受け皿、３０…位置調整部材、３０Ａ…接当部材、３０Ｂ，３０Ｃ…ビス、３２…回転軸、Ｂ…ボルト、Ｐ…印刷用紙、Ｘ１，Ｘ２…回転中心
【図１】
2010120285.tif 000003
【図２】
2010120285.tif 000004
【図３】
2010120285.tif 000005
【図４】
2010120285.tif 000006
【図５】
2010120285.tif 000007
【図６】
2010120285.tif 000008